(57)【要約】【課題】  自動車の操作ペダルを足でなく手で操作するハンドコントロール装置においてブレーキを踏み込み位置でロックすることを可能とする。【解決手段】  操作シャフト１を前方に押し出すことにより、内挿されているスライドシャフト１０が押し出されてブレーキペダルＢ１が押圧され、操作シャフトを後方に引くことにより、揺動中心４１がスライドシャフトに枢支される揺動アーム４０が操作シャフトにより揺動して、他端に枢支されているアクセル側ロッド５０によりアクセルペダルＡ１が押圧されるともに、スライドシャフトの前後動を一定の範囲で無効にしてアクセル側ロッドには伝達させないロストモーション手段１５、１６を備え、操作シャフトをブレーキ踏み込み位置で回転することにより後方への摺動をロックするとともに、操作シャフトのロストモーション手段を停止する。【選択図】      図１
2017016212.tif 000002
【特許請求の範囲】
【請求項１】
運転者が把持して前後動させる筒状の操作シャフトと、操作シャフトに対し摺動自在に内挿されるとともに一端をブレーキペダルに連結したスライドシャフトと、スライドシャフトに揺動中心が枢支される揺動アームと、一端を操作シャフトに枢支するとともに他端を揺動アームの一端に枢支する操作シャフト側ロッドと、一端を揺動アームの他端に枢支するとともに他端をアクセルペダルに連結するアクセル側ロッドと、
スライドシャフトに対する操作シャフトの前方摺動の終端位置を設け、それ以上の摺動を制限するストッパー機構と、
揺動アームの揺動中心の枢支ピンが軸支されるスライドシャフトの軸孔をスライドシャフトの前後方向に延びるように形成された長孔とすることにより，スライドシャフトの前後動を一定の範囲で無効にしてアクセル側ロッドには伝達させないようにしたロストモーション手段を有し、
運転者が前方摺動の終端位置に達した操作シャフトをさらに前方に押し出すことによりスライドシャフトを押し出してブレーキペダルを押圧し、
運転者が操作シャフトを後方に引いてスライドシャフトに対して操作シャフトを後方に移動させることにより、操作シャフト側ロッドにより一端が引き寄せ方向に回転するとともに他端が押し出し方向に回転する揺動アームによりアクセル側ロッドを介してアクセルを押圧する、
自動車の操作ペダルのハンドコントロール装置において、
スライドシャフトに対する操作シャフトの前方摺動の終端位置において操作シャフトを回転することにより操作シャフトの後方への摺動をロックするとともに、上記ロック位置まではスライドシャフトに対する操作シャフトの回転を制限する手段を設け、
操作シャフトからの前方摺動の終端位置に達したスライドシャフト端によりブレーキペダルを最大限度まで押圧した位置において、操作シャフトを前記のスライドシャフトに対する後方への摺動をロックする方向と同方向に回転した際に揺動アームの揺動中心の枢支ピンがスライドシャフトの長孔状の軸孔に対し前後方向に摺動しないようにロックする手段を設けたことを、
特徴とする自動車の操作ペダルのハンドコントロール装置。
【請求項２】
スライドシャフトの表面に前後方向に延びるようにスプライン溝を凹設するとともに、スプライン溝を転動するボールを回転自在に保持するリテーナを操作シャフトに設け、上記スプライン溝の終端を円周方向に屈曲することによりボール抱持溝とし、スライドシャフトに対する操作シャフトの前方摺動の終端位置において操作シャフトを回転することによりボールをボール抱持溝に誘導して操作シャフトの後方への摺動をロックするとともに、上記ロック位置まではスプライン溝とボールによりスライドシャフトに対する操作シャフトの回転を制限した請求項１記載の自動車の操作ペダルのハンドコントロール装置。
【請求項３】
揺動アームの揺動中心の枢支ピンが軸支されるスライドシャフトの長孔状の軸孔の始端に円周方向の切り欠きを設けることにより、操作シャフトからの前方摺動の終端位置に達したスライドシャフト端によりブレーキペダルを最大限度まで押圧した位置において、スライドシャフトに対する操作シャフトの後方への摺動をロックする方向と同方向に操作シャフトを回転することにより揺動アームの揺動中心の枢支ピンが上記切り欠きに係合して長孔状の軸孔に対し前後方向に摺動しないようにロックされる請求項１または２記載の自動車の操作ペダルのハンドコントロール装置。
【請求項４】
ブレーキペダルに対し着脱自在なクランプ部材をスライドシャフト端に枢支するともに、操作シャフト上を前後に摺動するスライド部材に一端が枢支される補助シャフトの他端をクランプ部材の上記枢支箇所から偏位した位置に枢支した請求項１から３のいずれかに記載の自動車の操作ペダルのハンドコントロール装置。
【発明の詳細な説明】
【技術分野】
【０００１】
この発明は、自動車の操作ペダルを足でなく手で操作することを可能とし、下肢の不自由な人でも自動車の運転ができるようにした自動車の操作ペダルのハンドコントロール装置に関する。
【背景技術】
【０００２】
自動車の運転に際してはアクセルやブレーキを操作しなくてはならないが、これらの操作ペダルは足で踏んで操作する構造となっているので、下肢の不自由な人は運転できなかった。そのため、従来、これらの操作ペダルに取り付けて手で操作するためのハンドコントロール装置が提案されていた。
【０００３】
前記ハンドコントロール装置として、特許文献１には棒状に形成された操作ハンドルの中間にブレーキペダルに一端が連結されるブレーキ連結棒を枢支するとともに、操作ハンドルの一端にアクセルペダルに一端が連結されるアクセル連結棒を枢支し、運転者が水平に位置した操作ハンドルを前後方向に揺動させることにより、ブレーキペダルとアクセルペダルを押し下げるものが開示されている。
【０００４】
また、特許文献２には操作杆と，前端がブレーキペダルに連結される第１作動杆とを第１ロストモーション手段を介して連結し，これら操作杆および第１作動杆と，前端がアクセルペダルに連結される第２作動杆とを反転連動機構を介して連結するとともに，操作杆および第２作動杆の間に第２ロストモーション手段を設けることにより、運転者が操作ハンドルを握って操作杆を前方に押すと，第１作動杆を前方へ押圧してブレーキペダルを踏み込むことができ，反対に操作ハンドルを引くと，操作杆の後方移動が反転連動機構により第２作動杆に前方移動として伝達され，アクセルペダルを踏み込むことができるハンドコントロール装置が開示されている。
【先行技術文献】
【特許文献】
【０００５】
【特許文献１】特開平９−２６７６６６号公報
【特許文献２】特開２００４−２９１９５０号公報
【発明の概要】
【発明が解決しようとする課題】
【０００６】
前記の従来技術のうち、特許文献１に記載のハンドコントロール装置は操作ハンドルを前後方向に揺動させてブレーキペダルとアクセルペダルを押し下げる構造上、操作ハンドルの両端を両手で持って揺動させることは容易であっても、運転に際しては片手はハンドルで塞がっているのだから、残る片手で操作ハンドルを前後方向に揺動させることは難しい問題があった。
【０００７】
一方、特許文献２に記載のハンドコントロール装置は、単一の操作ハンドルの単なる押し引きにより操作ペダルの踏み込み操作ができるので操作性が良好である利点を有する。
【０００８】
この発明は前記の特許文献２に記載のハンドコントロール装置を直接的な先行技術とし、それに改良を加えたハンドコントロール装置を提供することを目的として創作されたものである。
【課題を解決するための手段】
【０００９】
すなわち、この発明のハンドコントロール装置は、
運転者が把持して前後動させる筒状の操作シャフトと、操作シャフトに対し摺動自在に内挿されるとともに一端をブレーキペダルに連結したスライドシャフトと、スライドシャフトに揺動中心が枢支される揺動アームと、一端を操作シャフトに枢支するとともに他端を揺動アームの一端に枢支する操作シャフト側ロッドと、一端を揺動アームの他端に枢支するとともに他端をアクセルペダルに連結するアクセル側ロッドと、
スライドシャフトに対する操作シャフトの前方摺動の終端位置を設け、それ以上の摺動を制限するストッパー機構と、
揺動アームの揺動中心の枢支ピンが軸支されるスライドシャフトの軸孔をスライドシャフトの前後方向に延びるように形成された長孔とすることにより，スライドシャフトの前後動を一定の範囲で無効にしてアクセル側ロッドには伝達させないようにしたロストモーション手段を有し、
運転者が前方摺動の終端位置に達した操作シャフトをさらに前方に押し出すことによりスライドシャフトを押し出してブレーキペダルを押圧し、
運転者が操作シャフトを後方に引いてスライドシャフトに対して操作シャフトを後方に移動させることにより、操作シャフト側ロッドにより一端が引き寄せ方向に回転するとともに他端が押し出し方向に回転する揺動アームによりアクセル側ロッドを介してアクセルを押圧する、
自動車の操作ペダルのハンドコントロール装置において、
スライドシャフトに対する操作シャフトの前方摺動の終端位置において操作シャフトを回転することにより操作シャフトの後方への摺動をロックするとともに、上記ロック位置まではスライドシャフトに対する操作シャフトの回転を制限する手段を設け、
操作シャフトからの前方摺動の終端位置に達したスライドシャフト端によりブレーキペダルを最大限度まで押圧した位置において、操作シャフトを前記のスライドシャフトに対する後方への摺動をロックする方向と同方向に回転した際に揺動アームの揺動中心の枢支ピンがスライドシャフトの長孔状の軸孔に対し前後方向に摺動しないようにロックする手段を設けたことを特徴とする。
【００１０】
また、請求項２記載の発明は前記のハンドコントロール装置において、スライドシャフトの表面に前後方向に延びるようにスプライン溝を凹設するとともに、スプライン溝を転動するボールを回転自在に保持するリテーナを操作シャフトに設け、上記スプライン溝の終端を円周方向に屈曲することによりボール抱持溝とし、スライドシャフトに対する操作シャフトの前方摺動の終端位置において操作シャフトを回転することによりボールをボール抱持溝に誘導して操作シャフトの後方への摺動をロックするとともに、上記ロック位置まではスプライン溝とボールによりスライドシャフトに対する操作シャフトの回転を制限したことを特徴とする。
【００１１】
また、請求項３記載の発明は前記のハンドコントロール装置において、揺動アームの揺動中心の枢支ピンが軸支されるスライドシャフトの長孔状の軸孔の始端に円周方向の切り欠きを設けることにより、操作シャフトからの前方摺動の終端位置に達したスライドシャフト端によりブレーキペダルを最大限度まで押圧した位置において、スライドシャフトに対する操作シャフトの後方への摺動をロックする方向と同方向に操作シャフトを回転することにより揺動アームの揺動中心の枢支ピンが上記切り欠きに係合して長孔状の軸孔に対し前後方向に摺動しないようにロックされることを特徴とする。
【００１２】
また、請求項４記載の発明は前記のハンドコントロール装置において、ブレーキペダルに対し着脱自在なクランプ部材をスライドシャフト端に枢支するともに、操作シャフト上を前後に摺動するスライド部材に一端が枢支される補助シャフトの他端をクランプ部材の上記枢支箇所から偏位した位置に枢支したことを特徴とする。
【発明の効果】
【００１３】
以上の構成よりなるこの発明のハンドコントロール装置によれば、運転者において操作シャフトを前方に押し出して、それに内挿されているスライドシャフトに対する前方摺動の終端位置を超えてさらに押し出せば、スライドシャフトに対する操作シャフトのそれ以上の摺動を制限するストッパー機構によりスライドシャフトが押し出され、その一端に連結されたブレーキペダルが押圧されブレーキペダルの踏み込み効果が得られる。
【００１４】
一方、運転者において操作シャフトを後方に引けば、スライドシャフトの一端はブレーキペダルに連結されているので一定限度で止まり、スライドシャフトに対して操作シャフトが後方に相対移動する。この場合、スライドシャフトには揺動アームの揺動中心が枢支され、その一端には他端が操作シャフトに枢支される操作シャフト側ロッドの一端が枢支されているのだから、操作シャフトのスライドシャフトに対する相対移動により操作シャフト側ロッドが移動して揺動アームの一端を引き寄せて揺動アームが回転する。一方、揺動中心を隔てた揺動アームの他端は回転により操作シャフト側ロッドとは反対方向の前方に押し出されるのでそこに枢支されているアクセル側ロッドが押し出されてその一端に連結されたアクセルペダルが押圧されアクセルペダルの踏み込み効果が得られる。
【００１５】
以上の揺動アーム、操作シャフト側ロッド、操作シャフトの枢支点、スライドシャフトの枢支点により構成されるリンク機構の作用において、ブレーキペダルを押圧するための操作シャフトおよびスライドシャフトの前方移動は、揺動アームの揺動中心の枢支ピンが軸支される軸孔をスライドシャフトの前後方向に延びるように形成された長孔とすることによりロストモーション手段として，スライドシャフトの前後動を一定の範囲で無効にしてアクセル側ロッドには伝達させないようにしているので、アクセルペダルに干渉することなくブレーキペダルのみを操作することができる。
【００１６】
一方、アクセルペダルを押圧するための操作シャフトの後方移動は、スライドシャフトに対して操作シャフトのみが後方に相対移動するのでスライドシャフトがブレーキペダルに連結されていてもそれに制約されることなく実現することができる。
【００１７】
次に、この発明においてはスライドシャフトに対する操作シャフトの前方摺動の終端位置において操作シャフトを回転することにより操作シャフトの後方への摺動をロックする手段を設け、さらに、操作シャフトからの前方摺動の終端位置に達したスライドシャフト端によりブレーキペダルを最大限度まで押圧した位置において、操作シャフトを前記のスライドシャフトに対する後方への摺動をロックする方向と同方向に回転した際に揺動アームの揺動中心の枢支ピンがスライドシャフトの長孔状の軸孔に対し前後方向に摺動しないようにロックする手段を設けているので、運転者において操作シャフトを最大限度まで押し出した後回転させれば操作シャフトとスライドシャフトが一体化して固定されるとともに、揺動アームの揺動中心も前後動しないで固定されるので、揺動アーム、操作シャフト側ロッド、操作シャフトの枢支点、スライドシャフトの枢支点により構成されるリンク機構はロックされ、ブレーキペダルを踏み込み状態で固定することが可能となる効果を得ることができ安全面に寄与することとなる。
【００１８】
また、請求項２記載の発明によれば、スライドシャフトの表面に前後方向に延びるようにスプライン溝を凹設するとともに、スプライン溝を転動するボールを回転自在に保持するリテーナを操作シャフトに設け、上記スプライン溝の終端を円周方向に屈曲することによりボール抱持溝とし、スライドシャフトに対する操作シャフトの前方摺動の終端位置において操作シャフトを回転することによりボールをボール抱持溝に誘導して操作シャフトの後方への摺動をロックするとともに、上記ロック位置まではスプライン溝とボールによりスライドシャフトに対する操作シャフトの回転を制限しているので、簡易かつ動きがスムーズな機構により操作シャフトに対するスライドシャフトの直線運動およびロック手段が実現される。
【００１９】
また、請求項３記載の発明によれば、揺動アームの揺動中心の枢支ピンが軸支されるスライドシャフトの長孔状の軸孔の始端に円周方向の切り欠きを設けることにより、操作シャフトを回転することにより揺動アームの揺動中心の枢支ピンが上記切り欠きに係合して長孔状の軸孔に対し前後方向に摺動しないようにロックされるので、簡易かつ動きがスムーズな機構により操作シャフトに対するスライドシャフトの直線運動およびロック手段が実現される。
【００２０】
また、請求項４記載の発明によれば、ブレーキペダルに対し着脱自在なクランプ部材をスライドシャフト端に枢支するともに、操作シャフト上を前後に摺動するスライド部材に一端が枢支される補助シャフトの他端をクランプ部材の上記枢支箇所から偏位した位置に枢支したので、ブレーキペダルに連結したハンドコントロール装置が必要以上に回転したり、上下動することが防止される効果が得られる。
【図面の簡単な説明】
【００２１】
【図１】この発明の自動車の操作ペダルのハンドコントロール装置のセット位置の側面図。
【図２】同上、各部材へ分解した状態の側面図。
【図３】同上、各部材へ分解した状態の側面図。
【図４】同上、操作シャフトに対するスライドシャフトの直線運動およびロック手段を示す要部の一部切り欠き側面図。
【図５】同上、操作シャフトに対するスライドシャフトの直線運動およびロック手段を示す要部の一部切り欠き側面図。
【図６】同上、スライドシャフトに対する揺動アームの揺動中心のロック手段を示す要部の斜視図。
【図７】同上、スライドシャフトに対する揺動アームの揺動中心のロック手段を示す要部の斜視図。
【図８】同上、ブレーキペダル操作時の側面図。
【図９】同上、アクセルペダル操作時の側面図。
【図１０】同上、ブレーキペダルの踏み込み状態での固定時の側面図。
【図１１】同上、異なる実施例の要部の平面図。
【発明を実施するための形態】
【００２２】
以下、この発明の具体的実施例を添付図面に基づいて説明する。図１はこの発明の自動車の操作ペダルのハンドコントロール装置の実施例を示す側面図、図２および図３は各部材の側面図である。この発明のハンドコントロール装置を構成する主たる部材は次の通りである。
運転者が把持して前後動させる筒状の操作シャフト１。
操作シャフト１に対し摺動自在に内挿されるとともに一端をブレーキペダルＢ１に連結したスライドシャフト１０。
スライドシャフト１０に揺動中心が枢支される揺動アーム４０。
一端を操作シャフト１に枢支するとともに他端を揺動アーム４０の一端に枢支する操作シャフト側ロッド３０。
、一端を揺動アーム４０の他端に枢支するとともに他端をアクセルペダルＡ１に連結するアクセル側ロッド５０。
スライドシャフト１０に対する操作シャフトの前方摺動の終端位置を設け、それ以上の摺動を制限するストッパー機構。
揺動アーム４０の揺動中心の枢支ピン４１が軸支されるスライドシャフト１０の軸孔１５をスライドシャフトの前後方向に延びるように形成された長孔とすることにより，スライドシャフトの前後動を一定の範囲で無効にしてアクセル側ロッド５０には伝達させないようにしたロストモーション手段。
スライドシャフト１０に対する操作シャフト１の前方摺動の終端位置において操作シャフトを回転することにより操作シャフトの後方への摺動をロックするとともに、上記ロック位置まではスライドシャフトに対する操作シャフトの回転を制限する手段９、１２、１３。
操作シャフト１からの前方摺動の終端位置に達したスライドシャフト１０端によりブレーキペダルを最大限度まで押圧した位置において、操作シャフトを前記のスライドシャフトに対する後方への摺動をロックする方向と同方向に回転した際に揺動アーム４０の揺動中心の枢支ピン４１がスライドシャフトの長孔状の軸孔１５に対し前後方向に摺動しないようにロックする手段１６。
【００２３】
前記の操作シャフト１は一端に運転者が把持する手がかりとなる操作ハンドル２が突設されるとともに、他端からスライドシャフト１０の摺動部１１が摺動自在に挿入される。上記スライドシャフト１０は摺動部１１に対して膨径部１４を設けることにより、操作シャフト１への挿入時に操作シャフト端が膨径部の端部に当接してそれ以上の摺動を制限するストッパー機構となる。
【００２４】
図中符号１２はスライドシャフト１０の摺動部１１の表面に前後方向に延びるように凹設されたスプライン溝である。操作シャフト１には前記スプライン溝１２を転動するボール９を回転自在に保持するリテーナ６が設けられる。このリテーナ６は操作シャフト１に穿設されたボール孔に連通するボール縦孔を有し、ボール孔に位置するボール９をボール縦孔の内部に挿入された押圧ばね７によりスプライン溝１２対し押圧することにより、ボールを操作シャフトのボール孔とスライドシャフトのスプライン溝間に位置させた状態で回転自在に保持する。図中符号８は前記の押圧ばね７を圧縮するネジ蓋である。これにより下記ロック位置まではスプライン溝１２とボール９によりスライドシャフト１０に対する操作シャフト１の回転は制限され直線運動のみが実現される。
【００２５】
前記のスプライン溝１２の終端は円周方向に屈曲することによりボール抱持溝１３とし、スライドシャフト１０に対する操作シャフト１の前方摺動が前記ストッパー機構により制限される摺動終端位置において操作シャフトを回転することによりボール９をボール抱持溝に誘導して操作シャフトの後方への摺動をロックする。
【００２６】
前記の操作シャフト１には一対の環状ストッパー３、３により前後方向の移動が制限された状態で環状の本体が回転自在に外挿される軸受け４が設けられ、枢支ピン５により操作シャフト側ロッド３０の一端が軸支される。
【００２７】
前記のスライドシャフト１０の膨径部１４には揺動アーム４０の揺動中心の枢支ピン４１が軸支されるスライドシャフトの前後方向に延びるように形成された長孔状の軸孔１５が設けられ、この軸孔の始端には円周方向の切り欠き１６を設けられる。その結果、揺動アーム４０の揺動中心の枢支ピン４１がこの位置に達した段階で操作シャフト１を介してスライドシャフト１０を回転させることにより、枢支ピンが上記切り欠きに係合して長孔状の軸孔１５に対し前後方向に摺動しないようにロックされる。
【００２８】
スライドシャフト１０の軸孔１５に枢支ピン４１をもって軸支される揺動アーム４０は揺動中心の両手方向にアームが延長した形状よりなり、一方のアーム端には枢支ピン４２により前記の操作シャフト側ロッド３０の他端が軸支される。また、他方のアーム端には枢支ピン４３によりアクセル側ロッド５０の一端が枢支される。
【００２９】
図中符号２０はブレーキペダルＢ１に対し着脱自在に設けられるクランプ部材であり、締めつけネジ２２により接離自在に配されるクランプ板２１、２２間にブレーキペダルを挟持する。前記のスライドシャフト１０の膨径部１５の一端には軸受け１６が回転自在に配され、この軸受けの長孔状の軸孔１７にクランプ部材２０の一方のクランプ板２２が枢支ピン２４をもって軸支される。
【００３０】
図中符号６０はアクセルペダルＡ１に対し着脱自在に設けられるクランプ部材であり、締めつけネジ６４により接離自在に配されるクランプ板６１、６３間にアクセルペダルを挟持する。前記のアクセル側ロッド５０の他端にこのクランプ部材６０の一方のクランプ板６２が枢支ピン６３をもって軸支される。
【００３１】
図１は前記の発明の効果の欄で説明したハンドコントロール装置のセット位置を示す図、同じく図８はブレーキペダル操作時の側面図、同じく図９はアクセルペダル操作時の側面図、同じく図１０はブレーキペダルの踏み込み状態での固定時の側面図である。各図において図中符号Ａはアクセルベダルの非踏み込み時の基準位置を示し、Ｂはブレーキペダルの非踏み込み時の基準位置を示す。
【００３２】
図１１はこの発明のハンドコントロール装置の異なる実施例を示す図であり、ブレーキペダルＢ１に対し着脱自在に設けられるクランプ部材２０のスライドシャフト１０の膨径部１５の軸受け１６との枢支位置とは偏位した位置に操作シャフト１上を前後に摺動するスライド部材７１に一端が枢支ピン７２をもって軸支される補助シャフト７０の他端が枢支ピン７３をもって軸支される。
【符号の説明】
【００３３】
１          操作シャフト
【図１】
2017016212.tif 000003
【図２】
2017016212.tif 000004
【図３】
2017016212.tif 000005
【図４】
2017016212.tif 000006
【図５】
2017016212.tif 000007
【図６】
2017016212.tif 000008
【図７】
2017016212.tif 000009
【図８】
2017016212.tif 000010
【図９】
2017016212.tif 000011
【図１０】
2017016212.tif 000012
【図１１】
2017016212.tif 000013
【手続補正書】
【提出日】平成27年6月29日(2015.6.29)
【手続補正１】
【補正対象書類名】明細書
【補正対象項目名】００２２
【補正方法】変更
【補正の内容】
【００２２】
以下、この発明の具体的実施例を添付図面に基づいて説明する。図１はこの発明の自動車の操作ペダルのハンドコントロール装置の実施例を示す側面図、図２および図３は各部材の側面図である。この発明のハンドコントロール装置を構成する主たる部材は次の通りである。
運転者が把持して前後動させる筒状の操作シャフト１。
操作シャフト１に対し摺動自在に内挿されるとともに一端をブレーキペダルＢ１に連結したスライドシャフト１０。
スライドシャフト１０に揺動中心が枢支される揺動アーム４０。
一端を操作シャフト１に枢支するとともに他端を揺動アーム４０の一端に枢支する操作シャフト側ロッド３０。
、一端を揺動アーム４０の他端に枢支するとともに他端をアクセルペダルＡ１に連結するアクセル側ロッド５０。
スライドシャフト１０に対する操作シャフトの前方摺動の終端位置を設け、それ以上の摺動を制限するストッパー機構。
揺動アーム４０の揺動中心の枢支ピン４１が軸支されるスライドシャフト１０の軸孔１５をスライドシャフトの前後方向に延びるように形成された長孔とすることにより，スライドシャフトの前後動を一定の範囲で無効にしてアクセル側ロッド５０には伝達させないようにしたロストモーション手段。
スライドシャフト１０に対する操作シャフト１の前方摺動の終端位置において操作シャフトを回転することにより操作シャフトの後方への摺動をロックするとともに、上記ロック位置まではスライドシャフトに対する操作シャフトの回転を制限する手段９、１２、１３（図２、図４、図５参照）。
操作シャフト１からの前方摺動の終端位置に達したスライドシャフト１０端によりブレーキペダルを最大限度まで押圧した位置において、操作シャフトを前記のスライドシャフトに対する後方への摺動をロックする方向と同方向に回転した際に揺動アーム４０の揺動中心の枢支ピン４１がスライドシャフトの長孔状の軸孔１５に対し前後方向に摺動しないようにロックする手段１５、１６（図２、図６、図７、図９参照）。
【手続補正２】
【補正対象書類名】明細書
【補正対象項目名】００２４
【補正方法】変更
【補正の内容】
【００２４】
図中符号１２はスライドシャフト１０の摺動部１１の表面に前後方向に延びるように凹設されたスプライン溝である。操作シャフト１には前記スプライン溝１２を転動するボール９を回転自在に保持するリテーナ６が設けられる。このリテーナ６は操作シャフト１に穿設されたボール孔に連通するボール縦孔を有し、ボール孔に位置するボール９をボール縦孔の内部に挿入された押圧ばね７によりスプライン溝１２対し押圧することにより、ボールを操作シャフトのボール孔とスライドシャフトのスプライン溝間に位置させた状態で回転自在に保持する。図中符号８は前記の押圧ばね７を圧縮するネジ蓋である。これにより下記ロック位置まではスプライン溝１２とボール９によりスライドシャフト１０に対する操作シャフト１の回転は制限され直線運動のみが実現される（図４、図５参照）。
【手続補正３】
【補正対象書類名】明細書
【補正対象項目名】００２７
【補正方法】変更
【補正の内容】
【００２７】
前記のスライドシャフト１０の膨径部１４には揺動アーム４０の揺動中心の枢支ピン４１が軸支されるスライドシャフトの前後方向に延びるように形成された長孔状の軸孔１５が設けられ、この軸孔の始端には円周方向の切り欠き１６が設けられる。その結果、揺動アーム４０の揺動中心の枢支ピン４１がこの位置に達した段階で操作シャフト１を介してスライドシャフト１０を回転させることにより、枢支ピンが上記切り欠きに係合して長孔状の軸孔１５に対し前後方向に摺動しないようにロックされる（図６、図７参照）。
【手続補正４】
【補正対象書類名】明細書
【補正対象項目名】００２９
【補正方法】変更
【補正の内容】
【００２９】
図中符号２０はブレーキペダルＢ１に対し着脱自在に設けられるクランプ部材であり、締めつけネジ２２により接離自在に配されるクランプ板２１、２２間にブレーキペダルを挟持する。前記のスライドシャフト１０の膨径部１５の一端には軸受け１７が回転自在に配され、この軸受けの長孔状の軸孔１８にクランプ部材２０の一方のクランプ板２２が枢支ピン２４をもって軸支される（図１、図２参照）。
【手続補正５】
【補正対象書類名】明細書
【補正対象項目名】００３０
【補正方法】変更
【補正の内容】
【００３０】
図中符号６０はアクセルペダルＡ１に対し着脱自在に設けられるクランプ部材であり、締めつけネジ６４により接離自在に配されるクランプ板６１、６３間にアクセルペダルを挟持する。前記のアクセル側ロッド５０の他端にこのクランプ部材６０の一方のクランプ板６２が枢支ピン６３をもって軸支される（図１、図３参照）。
【手続補正６】
【補正対象書類名】明細書
【補正対象項目名】００３２
【補正方法】変更
【補正の内容】
【００３２】
図１１はこの発明のハンドコントロール装置の異なる実施例を示す図であり、ブレーキペダルＢ１に対し着脱自在に設けられるクランプ部材２０のスライドシャフト１０の軸受け１７との枢支位置とは偏位した位置に、操作シャフト１上を前後に摺動するスライド部材７１に一端が枢支ピン７２をもって軸支される補助シャフト７０の他端が枢支ピン７３をもって軸支される。
【手続補正７】
【補正対象書類名】明細書
【補正対象項目名】００３３
【補正方法】変更
【補正の内容】
【００３３】
Ａ１        アクセルペダル
Ｂ１        ブレーキペダル
１          操作シャフト
１０        スライドシャフト
３０        操作シャフト側ロッド
４０        揺動アーム
【手続補正９】
【補正対象書類名】図面
【補正対象項目名】図１
【補正方法】変更
【補正の内容】
【図１】
2017016212.tif 000014
【手続補正１０】
【補正対象書類名】図面
【補正対象項目名】図２
【補正方法】変更
【補正の内容】
【図２】
2017016212.tif 000015
【手続補正１１】
【補正対象書類名】図面
【補正対象項目名】図４
【補正方法】変更
【補正の内容】
【図４】
2017016212.tif 000016
【手続補正１２】
【補正対象書類名】図面
【補正対象項目名】図５
【補正方法】変更
【補正の内容】
【図５】
2017016212.tif 000017
【手続補正１３】
【補正対象書類名】図面
【補正対象項目名】図６
【補正方法】変更
【補正の内容】
【図６】
2017016212.tif 000018
【手続補正１４】
【補正対象書類名】図面
【補正対象項目名】図７
【補正方法】変更
【補正の内容】
【図７】
2017016212.tif 000019
【手続補正１５】
【補正対象書類名】図面
【補正対象項目名】図９
【補正方法】変更
【補正の内容】
【図９】
2017016212.tif 000020
【手続補正１６】
【補正対象書類名】図面
【補正対象項目名】図１０
【補正方法】変更
【補正の内容】
【図１０】
2017016212.tif 000021
【手続補正１７】
【補正対象書類名】図面
【補正対象項目名】図１１
【補正方法】変更
【補正の内容】
【図１１】
2017016212.tif 000022